(57)【特許請求の範囲】
【請求項１】
本体の前面に開口を有する調理庫と、
前記開口を開閉するドアと、
該ドアを前後方向にスライドにて前記調理庫に出し入れされるグリルパンと、
前記調理庫内に設け前記グリルパンの上下方向に有した加熱手段と、
前記調理庫の底板に設け前記グリルパンの底面に接触して温度を検出する底温度センサとを備え、
該底温度センサの検知温度に応じて前記加熱手段によって加熱する加熱時間を調整する制御部とを備え、
該制御部は、前記底温度センサの検知温度の変化量に応じて前記グリルパンに入れられた被加熱物の量を判定して自動で調理を行い、
前記グリルパンの後方側面に対向した前記調理庫の背板に設け、
前記調理庫内の温度を検知する後温度センサを設け、
前記本体に備える操作部に調理を開始する切スタートキーを設け、
前記制御部は、
前記切スタートキーを操作すると、
前記後温度センサの検知温度が第一所定温度未満の場合は低温用の加熱パターン１に決定して調理開始し、
前記後温度センサの検知温度が第一所定温度以上の場合は前記底温度センサの検知温度が第二所定温度より未満の場合は高温用の加熱パターン２に決定して調理開始し、
前記底温度センサの検知温度が第二所定温度以上の場合は前記切スタートキーを操作してからの待機時間が第三所定時間に到達した場合は高温用の加熱パターン２に決定して調理開始することを特徴とする、加熱調理器。
【発明の詳細な説明】
【技術分野】
【０００１】
本発明は、食材を美味しく焼き上げる加熱調理器に関する。
【背景技術】
【０００２】
例えば、加熱調理器において、焼き網の上に被加熱物を載置し、調理庫に設けた上・下ヒータによって前記被加熱物を加熱しながら、所定時間中の温度上昇により被加熱物の量を判定し、おいしく被加熱物を焼き上げるものがある。（特許文献１参照）。
【先行技術文献】
【特許文献】
【０００３】
【特許文献１】特開２０１２−２２９０６号公報
【発明の概要】
【発明が解決しようとする課題】
【０００４】
しかし、特許文献１記載の加熱調理器は、焼き網の上に食材を載せ調理を行うため、食材の水分や脂成分が高温に温度上昇した下ヒータに垂れ落ちた時に大量の煙が発生し、また発生した煙に脂成分が交じって庫内を汚す課題があった。
【課題を解決するための手段】
【０００５】
本発明は、本体の前面に開口を有する調理庫と、前記開口を開閉するドアと、該ドアを前後方向にスライドにて前記調理庫に出し入れされるグリルパンと、前記調理庫内に設け前記グリルパンの上下方向に有した加熱手段と、前記調理庫の底板に設け前記グリルパンの底面に接触して温度を検出する底温度センサとを備え、該底温度センサの検知温度に応じて前記加熱手段によって加熱する加熱時間を調整する制御部とを備え、該制御部は、前記底温度センサの検知温度の変化量に応じて前記グリルパンに入れられた被加熱物の量を判定して自動で調理を行い、前記グリルパンの後方側面に対向した前記調理庫の背板に設け、前記調理庫内の温度を検知する後温度センサを設け、前記本体に備える操作部に調理を開始する切スタートキーを設け、前記制御部は、前記切スタートキーを操作すると、前記後温度センサの検知温度が第一所定温度未満の場合は低温用の加熱パターン１に決定して調理開始し、前記後温度センサの検知温度が第一所定温度以上の場合は前記底温度センサの検知温度が第二所定温度より未満の場合は高温用の加熱パターン２に決定して調理開始し、前記底温度センサの検知温度が第二所定温度以上の場合は前記切スタートキーを操作してからの待機時間が第三所定時間に到達した場合は高温用の加熱パターン２に決定して調理開始することを特徴とする、加熱調理器。
【発明の効果】
【０００６】
本発明によれば、調理庫内を汚す事無く美味しい調理ができる。
【図面の簡単な説明】
【０００７】
【図１】本発明の実施形態に係るグリルユニットをシステムキッチンに組み込んだ状態を示す斜視図である。
【図２】ドアを引き出したときのグリルユニットの斜視図である。
【図３】グリルユニットを示す分解斜視図である。
【図４】図２のＡ−Ａ線断面図である。
【図５】スライドバーがドア継手に固定された状態を示し、（ａ）は側面図、（ｂ）は底面図、（ｃ）は背面図である。
【図６】（ａ）はスライドバーがガイド部材から途中まで引き出された状態の斜視図、（ｂ）はスライドバーがガイド部材に収納された状態の平面図である。
【図７】（ａ）は図６（ｂ）のＢ−Ｂ線断面図、（ｂ）はガイド部材からスライドバーが最大まで引き出されたときの断面図である。
【図８】ドアのクリック機構を示し、（ａ）はドアを閉じる前のドアと枠部との位置関係及びスライドバーと当接部材との位置関係を示す説明図、（ｂ）はドアを閉じたときのドアと枠部との位置関係及びスライドバーと当接部材との位置関係を示す説明図である。
【図９】（ａ）はドアの開口を示す正面図、（ｂ）はドアの開口を斜め上から見下ろすように覗き込んだときの斜視図である。
【図１０】グリルパンの温度を検知する底温度センサを示す断面図である。
【図１１】（ａ）はグリルパンステイが底温度センサを乗り越える前、（ｂ）はグリルパンステイが底温度センサに乗り上げている途中、（ｃ）はグリルパンステイが底温度センサを乗り越えた後である。
【図１２】グリルユニットのドアを閉じた状態を示す縦断面図である。
【図１３】グリルユニットのドアを開いた状態を示す縦断面図である。
【図１４】スライドバーの後部を示し、（ａ）は平面図、（ｂ）は側面図である。
【図１５】グリルの操作部を説明する平面図である。
【図１６】グリル調理開始動作を説明するフローチャート図である。
【図１７】底温度センサで判定する動作の項目と温度の説明図である。
【発明を実施するための形態】
【０００８】
以下、図面を参照して本発明の加熱調理器の一実施形態を説明する。なお、以下では、システムキッチンに嵌め込むビルトイン型を例に挙げて説明するが、キッチンに載置する据置型の加熱調理器に適用してもよい。また、以下では、図１に示す前後左右上下を基準として説明する。
【０００９】
図１は本発明の実施形態に係るグリルユニットをシステムキッチンに収納した状態を示す斜視図である。図１に示すように、グリルユニット４（加熱調理器）は、電磁調理器３ａ，３ｂ，３ｃ、と上面に設けた操作部５などを備えた本体２と一体に構成され、本体２がシステムキッチン１の上面の天板１ａの孔（不図示）から落とし込むことで設置される。操作部５は電磁調理器３ａ，３ｂ，３ｃとグリルユニット４の操作を制御部（不図示）に入力し、制御部（不図示）からの情報による状態を表示する。グリルユニット４は、システムキッチン１の天板１ａの下方の前面部から操作できるようになっている。また、本体２の後部には、廃熱を本体２の外部に排出する排気口８ａ，８ｂが設けられている。
【００１０】
グリルユニット４は、魚や肉、ピザなどの被加熱物（不図示）を焼く機能を有するものであり、電磁調理器３ｂの下方に配置されている。なお、グリルユニット４は、本体２の左側に配置された状態を示しているが、本体２の右側に配置されていてもよい。
【００１１】
図２は、ドアを引き出したときのグリルユニットの斜視図である。図２に示すように、グリルユニット４は、加熱ベース１０、ドア２０、スライドバー３０（スライド部材）、ガイドレール４０（ガイド部材、図３参照）、グリルパンステイ５０、グリルパン６０などを備えて構成されている。
【００１２】
また、ドア２０は、前後方向（奥行き方向）に引き出し可能に構成され、ドアベース２１と、ハンドル２２と、ガラス板２３とを組み合わせて構成されている。
【００１３】
グリルパンステイ５０は、スライドバー３０に着脱自在に載置され、グリルパン６０載置するようになっている。グリルパン６０は、矩形状の深皿形状であり、内部に魚や肉などの被加熱物が入れられて、加熱調理が行われる。
【００１４】
図３は、グリルユニットを示す分解斜視図である。なお、スライドバー３０及びガイドレール４０は、左右対称形状であるので、右側のみ説明して、左側については説明を省略する。図３に示すように、加熱ベース１０は、ベース１１、天板１２、枠体１３、排気ダクト１４、下ヒータ１５、上ヒータ１６などを備えて構成されている。なお、本実施形態では、ベース１１と天板１２と枠体１３とで筺体が構成されている。
【００１５】
ベース１１は、板金をプレス加工することで、底側に位置する底板１１ａ、左右両側に位置する側板１１ｂ，１１ｂ及び後側に位置する背板１１ｃを備えている。
【００１６】
天板１２は、ベース１１の上部を塞ぐ矩形状の板金で構成され、側板１１ｂ，１１ｂ及び背板１１ｃの上端縁部にねじ固定される。また、天板１２の後部には、矩形状のダクト接続口１２ａが形成され、このダクト接続口１２ａに排気ダクト１４の一端が接続される。なお、排気ダクト１４の他端は、排気口８ａに連通している。
【００１７】
枠体１３は、ベース１１の前部開口に固定され、板金を曲げ加工することで構成されている。また、枠体１３は、略矩形状の開口１３ａを有し、この開口１３ａを通して、スライドバー３０、グリルパンステイ５０及びグリルパン６０が前後方向に出し入れされるように構成されている。また、ドア２０を全閉したときに、ドア２０の背面が、開口１３ａの周囲に形成された略四角枠状の周縁部１３ｂに当接するようになっている。
【００１８】
下ヒータ１５は、底板１１ａの近傍に沿って配置され、接続端子１５ａ，１５ａが背板１１ｃを通してベース１１の外部に引き出されている。上ヒータ１６は、天板１２の近傍に沿って配置され、接続端子１６ａ，１６ａが背板１１ｃを通してベース１１の外部に引き出されている。なお、加熱手段である上下の加熱手段は、下ヒータ１５及び上ヒータ１６からなるシーズヒータで説明するが、上下のガスバーナなどで構成されても良い。下ヒータ１５と上ヒータ１６とで、グリルパン６０を上下で挟み込んで被加熱物（不図示）を加熱する。
【００１９】
スライドバー３０，３０は、金属製のドア継手３１に溶接などで固定されている。このドア継手３１は、ドア２０が着脱自在となるように構成されている。
【００２０】
ガイドレール４０は、例えば、スライドバー３０をスライド自在に支持するものでありステンレス合金製のもので構成されている。また、ガイドレール４０は、ねじ４５を用いて、側板１１ｂの下端部１１ｂ１に固定されている。また、ガイドレール４０は、その外側からグリルユニット４を支える支え板４６が側板１１ｂにねじ固定されることによって支持されている。
【００２１】
グリルパンステイ５０は、グリルパン６０を支持する支持部材であり、例えば鉄製の線材の表面にクロームメッキを施すことで構成されている。すなわち、グリルパンステイ５０は、スライドバー３０に沿って延在する線状部５１ａ，５１ａと、線状部５１ａ，５１ａの後端同士をつなぐ線状部５１ｂと、前後方向に間隔を置いて配置され、線状部５１ａ，５１ａ同士をつなぐ複数本の線状部５１ｃ，５１ｃ，５１ｃ，５１ｄ，５１ｅと、を有している。
【００２２】
線状部５１ｄ，５１ｅは、線状部５１ｃ及び線状部５１ｂよりも高い位置に形成され、グリルパン６０の前後方向の動きを規制している。線状部５１ｂには、幅方向（左右方向）の中央部に山型の曲げ部５１ｂ１が形成されている。
【００２３】
また、線状部５１ａ，５１ａの前端には、幅方向内側に折れ曲がって、先端がドア継手３１に形成された孔３１ａ，３１ａに挿入される線状部５１ｆ，５１ｆが形成されている。これにより、グリルパンステイ５０がスライドバー３０上において位置ずれするのを防止している。
【００２４】
グリルパン（深皿）６０は、例えば、アルミニウム、アルミメッキ合板やアルミナを含有して熱伝導を良くしたセラミックなどの材料により形成され、表面にフッ素コート剤などがコーティングされたものである。また、グリルパン６０は、略四角形状を有する底板６０ａと、底板６０ａの外周縁部から上方に向けて起立する側板６０ｂと、を有して凹状に構成され、例えば、魚（例えば、秋刀魚）を頭と尾を前後の向きにして５尾横並びで入れることができる空間（容量）を有している。そして、側板６０ｂを調理庫Ｑの天面の近くまで高くした深皿形状のグリルパン６０を使用することで、調理時における油はねなどを抑制することができ調理庫Ｑ内の汚れを抑えることが可能になる。また、調理庫Ｑの上方に備えた加熱手段である上ヒータ１６よりグリルパン６０の上方の開口部を広く開口し、グリルパン６０の側板６０ｂを調理庫Ｑの天面の近くまで高くしたことで、熱伝導の良いグリルパン６０は全体が効率よく加熱されることで、グリルパン６０を使用して調理される被加熱物である魚を周囲全体から効率よく加熱される。
【００２５】
底板６０ａには、幅方向（左右方向）に延在する凸条部６０ｃが前後方向に間隔を空けて複数本形成されている。側板６０ｂの上端６０ｄには、外側方に曲げ形成されたフランジ６０ｅが形成され、グリルパン６０に手を掛け易くなり、グリルパン６０の持ち運びが容易になる。
【００２６】
また、ベース１１内には、前後方向の奥側に、グリルパン６０の温度を検出する底温度センサ７０が設けられている。この底温度センサ７０は、センサカバー７１と、センサ部（素子部）７２と、センサプレート７３と、センサ保持部材７４とで構成されている。  
図４は、図２のＡ−Ａ線断面図である。図４に示すように、グリルユニット４は、ベース１１と天板１２で囲まれた調理庫Ｑを備えている。調理庫Ｑの下部に下ヒータ１５が配置され、調理庫Ｑの上部に上ヒータ１６が配置されている。また、底温度センサ７０の先端（上端）が、下ヒータ１５よりも上側に位置している。そして、ベース１１内には、前後方向の奥側の背板１１ｃに、調理庫Ｑ内の温度を検知する後温度センサ１０１を備えている。後温度センサ１０１は、缶にサーミスタを納めて封止して缶部分を背板１１ｃの外側から内側に臨ませている。後温度センサ１０１は排気口８ａにつながる排気ダクト１４が接続するダクト接続口１２ａよりも本体２の中央寄り（図４で右寄り）で、ベース１１の高さ方向で約半分より上に設けている。後温度センサ１０１は前記制御部（不図示）に接続され、後温度センサ１０１で検知した温度の入力によって前記制御部が制御する。
【００２７】
図５は、スライドバーがドア継手に固定された状態を示し、（ａ）は側面図、（ｂ）は底面図、（ｃ）は背面図である。図５（ａ）に示すように、スライドバー３０は、１本の鉄製の線材を折り曲げることで構成されている。また、スライドバー３０は、上下において前後方向に延在する直線部３０ａ（上側直線部）及び直線部３０ｂ（下側直線部）と、後端においてＵ字状に延在するＵ字部３０ｃ（繋ぎ部）と、を備えている。また、直線部３０ａ，３０ｂは、互いに平行に配置されている。また、スライドバー３０は、例えば、線材の表面にクロームメッキを施すことで構成されている。なお、また、スライドバー３０の直径φは、６ｍｍに設定される。また、スライドバー３０のＵ字部３０ｃは、例えば、曲げＲ＝１２ｍｍに設定されている。この曲げＲは、加工できる最小に設定されている。
【００２８】
図５（ｂ）に示すように、スライドバー３０は、前端が幅方向（左右方向）の内側に直角に折り曲げ形成された固定部３０ｄを有している。すなわち、固定部３０ｄは、直線部３０ａの向き（前後方向）に対して直交する向き（左右方向）に延在している。なお、直線部３０ｂについても、前記と同様にして固定部３０ｄ（図５（ｃ）参照）が構成されている。
【００２９】
ドア継手３１は、幅方向に延在し、左右のスライドバー３０，３０の固定部３０ｄ，３０ｄを付き当てて固定する連結板３１ｂが形成されている。この連結板３１ｂの左右両端に、固定部３０ｄ，３０ｄが固定される。
【００３０】
図５（ｃ）に示すように、ドア継手３１は、直線部３０ａ，３０ｂの前端を保持する保持部３１ｃを有している。この保持部３１ｃは、直線部３０ａ，３０ｂの外側面が当接しする側面当接部３１ｃ１と、直線部３０ａの上面が当接する上面当接部３１ｃ２と、直線部３０ａの下面が当接する下面当接部３１ｃ３と、を有している。このような保持部３１ｃを形成することにより、スライドバー３０をドア継手３１に固定する際に、スライドバー３０の左右方向及び上下方向の位置決めが容易になる。
【００３１】
また、本実施形態では、スライドバー３０の固定部３０ｄ，３０ｄと直線部３０ａ，３０ｂとが直交する向きに配置されている。これにより、左右のスライドバー３０，３０をドア継手３１の連結板３１ｂに固定したときに、左右のスライドバー３０，３０同士の平行度を高めることができる（左右方向の振れを防止できる）。つまり、左右のスライドバー３０，３０では、前部における離間距離Ｓ１（図５（ｂ）参照）と、後部における離間距離Ｓ２（図５（ｂ）参照）とを均一にすることができる。また、スライドバー３０は、上下において２本の直線部３０ａ，３０ｂで構成されているので、スライドバー３０の上下方向の振れについても防止するができる。その結果、スライドバー３０とガイドレール４０との間における摩擦抵抗を低減することができるので、スライドバー３０がガイドレール４０内を摺動するときの騒音を低減できる。
【００３２】
図６（ａ）はスライドバーがガイド部材から途中まで引き出された状態の斜視図、（ｂ）はスライドバーがガイド部材に収納された状態の平面図である。なお、図６では、左右のスライドバー３０，３０及びガイドレール４０，４０は、左右対称形状であるので、右側のスライドバー３０及びガイドレール４０のみについて説明し、左側については説明を省略する。
【００３３】
図６（ａ）に示すように、ガイドレール４０は、前後方向の前寄りに、ねじ４５が挿通されるねじ孔４０ａが形成され、このねじ孔４０ａにねじ４５（固定部材）が螺着されるようになっている。また、ガイドレール４０は、ステンレス合金製の板材を、断面視において略Ｃ字状に折り曲げ形成することで構成されている。すなわち、ガイドレール４０は、スライドバー３０より内側面側（左側）に位置する内側板部４２ａと、スライドバー３０より上側に位置する上板部４２ｂと、スライドバー３０より下側に位置する下板部４２ｃと、スライドバー３０の直線部３０ａより外側面側に位置する外側上板部４２ｄと、スライドバー３０の直線部３０ｂより外側面側に位置する外側下板部４２ｅと、を有している。
【００３４】
図６（ｂ）に示すように、ガイドレール４０は、前後方向に延在し、スライドバー３０よりも前後方向に短く形成されている。すなわち、ガイドレール４０は、ドア２０（図３参照）の全閉時に、スライドバー３０の固定部３０ｄがガイドレール４０の前端部４０ｂから前方に突出し、スライドバー３０のＵ字部３０ｃを含む後部がガイドレール４０の後端部４０ｃから後方に突出している。
【００３５】
また、ガイドレール４０には、スライドバー３０と接触する当接部材４１が設けられている。この当接部材４１は、ねじ孔４０ａと上下方向において重なる位置に形成され、前後方向に細長く形成されている。また、当接部材４１は、ガイドレール４０の幅方向（左右方向）の中心Ｇよりも幅方向（左右方向）の内側にオフセットして配置されている。なお、当接部材４１は、例えば、耐熱性、摺動性及び耐摩耗性に優れた合成樹脂製のものであり、具体的には、ＰＰＳ（ポリフェニレンサルファイド）樹脂を選択することができる。
【００３６】
図７（ａ）は図６（ｂ）のＢ−Ｂ線断面図、（ｂ）はガイド部材からスライドバーが最大まで引き出されたときの断面図である。
【００３７】
図７（ａ）に示すように、ガイドレール４０の内側の高さ寸法Ｈ２は、スライドバー３０の高さ寸法Ｈ１よりも大きく（高く）形成されている。また、ガイドレール４０の内側の幅寸法Ｗ２は、スライドバー３０の幅寸法Ｗ１よりも大きく（広く）形成されている。これにより、スライドバー３０がガイドレール４０内を前後に移動する際の摺動性が良好となり、また騒音の発生を防止できるようになっている。
【００３８】
また、内側板部４２ａと上板部４２ｂとの境界の角部、上板部４２ｂと外側上板部４２ｄとの境界の角部、内側板部４２ａと下板部４２ｃとの境界の角部、下板部４２ｃと外側下板部４２ｅとの境界の角部は、それぞれＲ形状を有している。
【００３９】
また、スライドバー３０の直線部３０ａ，３０ｂは、断面視において円形状を呈している。なお、図示していないが、Ｕ字部３０ｃも断面視円形状を呈している。これにより、直線部３０ａ，３０ｂと内側板部４２ａとの接触、直線部３０ａ，３０ｂと上板部４２ｂとの接触、直線部３０ａ，３０ｂと下板部４２ｃとの接触、直線部３０ａ，３０ｂと外側上板部４２ｄとの接触、直線部３０ａ，３０ｂと外側下板部４２ｅとの接触、をそれぞれ線接触にすることができる。よって、直線部３０ａ，３０ｂとガイドレール４０との接触抵抗を低減でき、スライドバー３０がガイドレール４０を摺動する際の騒音を防止できる。
【００４０】
また、前記したように、Ｕ字部３０ｃの曲げＲを最小に設定することで、スライドバー３０が通るガイドレール４０の内側の領域Ｚの断面積を小さくできるので、この断面の領域Ｚから逃げる熱気を少なくできる。
【００４１】
当接部材４１は、ガイドレール４０の内側板部４２ａと上板部４２ｂとの角部に形成された切欠部４１ａに挿入されることで取り付けられている。すなわち、当接部材４１は、断面視において略コ字状に形成され、ガイドレール４０の上板部４２ｂの外側に位置する延出部４３ａと、ガイドレール４０の上板部４２ｂの内側に位置する延出部４３ｂと、を有している。
【００４２】
延出部４３ａには、延出部４３ｂとで上板部４２ｂを挟み込む突起部４３ｃが形成されている。延出部４３ｂは、ガイドレール４０の内側の幅寸法Ｗ２の半分（１／２）よりも長く形成されている。換言すると、スライドバー３０が最も右側に移動したときでも、直線部３０ａの上端部が接触するようになっている。また、延出部４３ｂの下面４３ｂ１は、水平な面となっている。
【００４３】
また、ガイドレール４０は、ベース１１の側板１１ｂに固定されるので、当接部材４１が切欠部４１ａから抜け落ちるのを防止できる。
【００４４】
図７（ｂ）に示すように、スライドバー３０がガイドレール４０から引き出された場合、スライドバー３０のＵ字部３０ｃの内周側が、ねじ４５に当接することでスライドバー３０の引き出し動作が規制されるようになっている。このように、ねじ４５は、ガイドレール４０をベース１１に固定する機能と、スライドバー３０のストッパとしての機能を有している。
【００４５】
また、スライドバー３０がガイドレール４０から引き出されるにつれて、ドア２０の重みによってスライドバー３０が傾く傾き量（グリルパン６０の傾き量）が多くなる（大きくなる）。本実施形態では、ねじ４５と上下方向において重なる位置に当接部材４１を設けたことで、スライドバー３０が最大まで引き出されたときに、スライドバー３０の後端上部３０ｓが当接部材４１によって下向きに押されるので、スライドバー３０が傾き量を少なくすることができる。よって、グリルパン６０が傾く量を少なくすることができ、グリルパン６０によって調理する際の使い勝手を向上させることができる。
【００４６】
図８は、ドアのクリック機構を示し、（ａ）はドアを閉じる前のドアと枠部との位置関係及びスライドバーと傾き抑制部材との位置関係を示す説明図、（ｂ）はドアを閉じたときのドアと枠部との位置関係及びスライドバーと傾き抑制部材との位置関係を示す説明図である。図８（ａ）に示すように、ドア２０には、枠体１３側に延在する舌部２４が形成されている。この舌部２４は、枠体１３の開口１３ａの下方に形成された挿入孔１３ｃが挿入されるようになっている。
【００４７】
舌部２４の下面には、奥側（枠体１３側）から手前側に向けて下降するテーパ２４ａが形成されている。また、舌部２４のテーパ２４ａの後方には、凹面が下向きに形成された窪み部２４ｂが形成されている。この窪み部２４ｂの天井側の高さは、テーパ２４ａの最下部２４ａ１の高さよりも高く形成されている。
【００４８】
また、図８（ａ）に示すドア２０が閉じる前においては、挿入孔１３ｃの下縁１３ｃ１は、テーパ２４ａの最下部２４ａ１よりも高い位置に形成され、下縁１３ｃ１の上面と最下部２４ａ１との差はＳ１０に設定されている。
【００４９】
一方、スライドバー３０は、図８（ａ）に示すドア２０が閉じる前において、ドア２０の自重によってスライドバー３０の前部がおじぎするように傾いており、直線部３０ｂの下端がガイドレール４０の下板部４２ｃと接している。また、スライドバー３０の直線部３０ａは、当接部材４１との間に隙間Ｓ２０が形成されている。
【００５０】
前記した差Ｓ１０と隙間Ｓ２０との関係は、Ｓ１０＞Ｓ２０に設定されている。例えば、Ｓ１０は、１ｍｍであり、Ｓ２０は、０．５ｍｍである。
【００５１】
図８（ａ）に示す状態から舌部２４が挿入孔１３ｃに挿入されると、挿入孔１３ｃの下縁１３ｃ１上をテーパ２４ａが摺動することで、ドア２０が持ち上がる。また、スライドバー３０についても、テーパ２４ａが下縁１３ｃ１上を摺動しながら移動するにつれて、直線部３０ａが当接部材４１から離れた状態から直線部３０ａが当接部材４１に接触する状態となるように持ち上がる。このとき、舌部２４が下縁１３ｃ１に乗り上げるのに、差Ｓ１０の高さ分持ち上げられる必要があるが、スライドバー３０は、隙間Ｓ２０しか持ち上がらない。よって、舌部２４が挿入孔１３ｃに挿入されるにつれて、スライドバー３０が曲げられることになるので、スライドバー３０には、スライドバー３０の曲げ力を元に戻す復帰力が発生する。そして、舌部２４が下縁１３ｃ１を乗り上げた後に、図７（ｂ）に示すように、窪み部２４ｂが下縁１３ｃ１に落ち込んで嵌まることで、ドア２０にクリック感を与えることができる。これにより、ユーザは、ドア２０が閉まったことを認識することができ、ドア２０が中途半端に開いた状態で調理（加熱）が開始されるのを防止することができる。
【００５２】
また、図８（ｂ）に示すドア２０が閉じた状態では、スライドバー３０の直線部３０ａが当接部材４１によって下向きの力Ｆ１が作用しているので、ドア２０に対しても下向きの力Ｆ２が作用している。これにより、窪み部２２ｂが下縁１３ｃ１に押し付けられるので、ドア２０が振動などによって調理中に開くのを防止できる。
【００５３】
図９（ａ）はドアの開口を示す正面図、（ｂ）はドアの開口を斜め上から見下ろすように覗き込んだときの斜視図である。なお、図９（ａ），（ｂ）は、ドア２０からガラス板２３を除いた状態を図示している。
【００５４】
図９（ａ）に示すように、ドア２０は、ドアベース２１と、ハンドル２２と、ガラス板２３（図８（ａ）参照）と、を備えて構成されている。ドアベース２１は、板金をプレス加工するなどして形成され、横長四角形状の開口部２１ａを有している。この開口部２１ａは、従来のものよりも開口面積が小さく形成されている。このように開口部２１ａを小さくすることで、放熱を少なくできる。
【００５５】
ハンドル２２は、合成樹脂製のものであり、ドア２０の下部に配置されている。ガラス板２３は、強化ガラスで構成され、開口部２１ａを含む前方に配置されている（図８（ａ）参照）。また、ガラス板２３は、開口部２１ａに対応する横長四角領域Ｑ１（図２参照）が透明色を呈し、その周囲の領域Ｑ２（図２参照）が黒色を呈している。また、前記のように開口部２１ａを小さくして放熱を少なくすることで、ハンドル２２の温度を抑制することができる。
【００５６】
図９（ａ）に示すように、ドア２０を正面から見た場合、開口部２１ａの上端２１ａ１がグリルパン６０（上端６０ｄ）よりも上側に位置している。これにより、図９（ｂ）に示すように、開口部２１ａを斜め上方から覗き込んだときに、グリルパン６０の内部を視認することができるようになっている。これによって、調理中において、ドア２０を開けることなく、グリルパン６０内の被加熱物の加熱状態を確認することができる。
【００５７】
図１０は、グリルパンの温度を検知する底温度センサを示す断面図である。図１０に示すように、センサカバー７１は、円錐台形状（富士山形状）を呈し、板金を絞り加工することで構成されている。また、センサカバー７１の頂上は、円形の平面部７１ａを有している。
【００５８】
センサ部７２は、断面視略Ｔ字状に形成され、先端（上端）が平面部７１ａの下面（裏面）に面接触する円形部７２ａを備えている。この円形部７２ａは、センサ部７２の基部７２ｂよりも大径となっている。
【００５９】
センサプレート７３は、センサ部７２の基部７２ｂに挿通されるリング形状のものであり、センサ部７２の円形部７２ａをセンサプレート７３とセンサカバー７１とで挟持するようになっている。
【００６０】
センサ保持部材７４は、センサカバー７１内に向けて突出する保持金具７４ａと、センサプレート７３と保持金具７４ａとの間に介装されてセンサ部７２の円形部７２ａをセンサカバー７１（平面部７１ａ）に押し付ける圧縮コイルばね７４ｂと、を備えている。保持金具７４ａは、断面視山型であり、頂上に圧縮コイルばね７４ｂの一部が収容されて保持する凹部７４ｃが形成されている。
【００６１】
このように構成された底温度センサ７０は、センサカバー７１と保持金具７４ａとが底板１１ａ（図３参照）にねじ７５，７５を介して固定されている。
【００６２】
図１１（ａ）はグリルパンステイが底温度センサを乗り越える前、（ｂ）はグリルパンステイが底温度センサに乗り上げている途中、（ｃ）はグリルパンステイが底温度センサを乗り越えた後である。図１１（ａ）に示すように、ドア２０（図２参照）が全閉する手前において、まずグリルパン６０を支持するグリルパンステイ５０の線状部５１ｃ（一番後方の線状部５１ｃ）がセンサカバー７１の斜面７１ｂに接触する（突き当たる）。このとき、線状部５１ｃの後方に位置する線状部５１ｄは、センサカバー７１よりも高い位置を通るので、センサカバー７１に接触することがない。また、線状部５１ｄの後方に位置する線状部５１ｂの曲げ部５１ｂ１は、センサカバー７１よりも高い位置を通るので、センサカバー７１に接触することがない。よって、線状部５１ｃが一番最初にセンサカバー７１に突き当たることになる。このとき、グリルパン６０の移動方向（前後方向）において、グリルパン６０とセンサカバー７１の斜面７１ｂとの間に線状部５１ｃが位置しているので、グリルパン６０がセンサカバー７１に突き当たることはない。
【００６３】
そして、図１１（ａ）に示す状態からドア２０がさらに押されると、グリルパンステイ５０の線状部５１ｃが斜面７１ｂを摺動しながら上り、図１１（ｂ）に示すように、線状部５１ｃが平面部７１ａに乗り上がる。このとき、グリルパン６０が線状部５１ｃに支持され、グリルパン６０の底面６０ｓが平面部７１ａよりも高い位置にあるので、グリルパン６０がセンサカバー７１に接触することがない。
【００６４】
そして、図１１（ｂ）に示す状態からドア２０がさらに押されると、グリルパンステイ５０の線状部５１ｃが平面部７１ａ上を摺動しながら後方に移動し、図１１（ｃ）に示すように、線状部５１ｃが平面部７１ａから後方の斜面７１ｃに摺動しながら移動する。このとき、線状部５１ｃが斜面７１ｃ側に下りることで、グリルパン６０の底面６０ｓが平面部７１ａに面接触する。
【００６５】
このように、グリルパン６０を収納する際に、グリルパン６０より先にグリルパンステイ５０（線状部５１ｃ）がセンサカバー７１に突き当たるので、グリルパン６０の表面が衝撃によって摩耗するのを防止することができる。
【００６６】
ところで、グリルパン６０には焦げ付き防止のためのフッ素樹脂を塗布しているが、このようなフッ素樹脂は、高温環境下において熱分解生成物が発生することが知られている。本実施形態では、底温度センサ７０をグリルパン６０に直接接触させることができるので、グリルパン６０の温度を精度よく検出でき、空焼きを防止でき、また高温異常時に素早く温度制御することが可能になる。
【００６７】
また、グリルパン６０内において、被加熱物（調理物）がある所とない所では、温度差が大きくなる。このため、被加熱物が頻繁に置かれる中心部に底温度センサ７０を配置した場合には相関関係をとらなければならず、グリルパン６０の温度を精度よく検出することが困難になる。本実施形態では、被加熱物が頻繁に置かれることのないグリルパン６０の後部に底温度センサ７０を配置したことで、グリルパン６０の温度を精度よく検出することが可能になる。
【００６８】
図１２はグリルユニットのドアを閉じた状態を示す縦断面図である。なお、図１２では、下ヒータ１５と上ヒータ１６の図示を省略している。
【００６９】
図１２に示すように、ドア２０を閉じた（全閉した）場合には、スライドバー３０の後部が、ベース１１の背板１１ｃの位置よりも後ろ側に突出している。このように、ベース１１から後方に突出するスライドバー３０の突出量（突出長さ）Ｌ１を、従来のようなボールベアリングを備えたスライド式のレールよりも短くすることができる。
【００７０】
図１３は、グリルユニットのドアを開いた状態を示す縦断面図である。
【００７１】
図１３に示すように、ドア２０を全開まで開いた場合には、グリルパン６０のほぼ全体を加熱ベース１０の前方に引き出すことができる。これにより、グリルパン６０を真上に持ち上げることが容易になり、グリルパン６０を取り出す際にグリルパン６０の底に溜まった被加熱物から出た水分や油分がこぼれ落ちるのを防止することができる。
【００７２】
ところで、グリルユニット４を備えた本体２（図１参照）を、システムキッチン１（図１参照）の上面の天板１ａの孔（不図示）から落とし込む場合、ドア２０を取り外した状態でグリルユニット４を前側が斜め下向きとなるようにして設置される。例えば、グリルユニット４をシステムキッチン１に何度も出し入れする場合、天板１ａの孔（不図示）から何度も落とし込む必要がある。このため、グリルユニット４を出し入れするたびにスライドバー３０が加熱ベース１０から前方に飛び出すことになり、入れ替え作業が煩雑になる。
【００７３】
そこで、本実施形態では、図１４（ａ），（ｂ）に示すように、本体２において、スライドバー３０の後方に、スライドバー３０を掴んで保持する掴み部材（キャッチャ）８０を設けることによって、本体２の設置時におけるスライドバー３０の飛び出しを防止している。
【００７４】
すなわち、図１４（ａ）に示すように、掴み部材８０は、スライドバー３０の左右に位置し、スライドバー３０に向かって互いに凸状に湾曲する一対の湾曲部８１ａ，８１ａが形成されている。また、一対の湾曲部８１ａは、左右方向に撓み変形可能な板材で形成され、本体２の筺体（板金）に固定されている。
【００７５】
図１４（ｂ）に示すように、掴み部材８０の湾曲部８１ａ，８１ａは、スライドバー３０の直線部３０ａと直線部３０ｂとの間に位置するように帯状に形成され、スライドバー３０の後方から前方に向けて延びている。この一対の湾曲部８１ａの互いに凸状となる部分によって、スライドバー３０のＵ字部３０ｃが保持されている。
【００７６】
これにより、スライドバー３０（グリルパン６０）が斜め下向きの角度になったとしても、スライドバー３０が掴み部材８０で保持されているので、スライドバー３０の飛び出しを防止できる。なお、掴み部材８０は、片側のスライドバー３０だけに設けてもよく、両側のスライドバー３０に設けてもよい。
【００７７】
図１５は、操作部５のなかでグリルユニット４のグリル操作部５ｇを示す。
【００７８】
５ｇ１は、メニューを選択するメニューキー、５ｇ２はメニューキー５ｇ１を押すごとに選択して表示を示すメニューカテゴリー表示である。メニューカテゴリー表示５ｇ２には、丸焼きのメニュー示す丸焼き表示５ｇ３、手動の調理を示す手動表示５ｇ４などがある。５ｇ９は調理の開始停止を指示する切スタートキーである。５ｇ５は火力/仕上がりキーで、下げキー５ｇ６と、上げキー５ｇ７を備える。火力/仕上がりキー５ｇ５の操作により、火力/仕上がり表示５ｇ８に表示する。火力/仕上がりキー５ｇ５は手動調理で火力を強、中、弱のいずれかを選択して入力する、また、丸焼きで自動調理する場合に焼き色の仕上がりを強、中、弱のいずれかを選択するなどである。
【００７９】
メニューキー５ｇ１で手動表示５ｇ４を選択して手動調理する場合には、火力設定が中の場合、上ヒータ１６は約６００Ｗと下ヒータ１５は約３２０Ｗ、火力設定が強の場合、上ヒータ１６は約７２０Ｗと下ヒータ１５は約３８４Ｗ、火力設定が弱の場合、上ヒータ１６は約４８０Ｗと下ヒータ１５は約２５６Ｗとしている。グリルパン６０に被加熱物を載置して加熱するため、上部から上ヒータ１６で被加熱物を加熱するときに、グリルパン６０も加熱される。
【００８０】
その被加熱物が主に接触する底面からグリルパン６０の熱を受けるため、下ヒータ１５は上ヒータ１６よりも小さな火力としている。
【００８１】
図１６は、グリル調理開始動作を説明するフローチャート図、図１７は底温度センサで判定する動作の項目と温度の説明図を示す。
【００８２】
制御部（図示無し）は、後温度センサ１０１の検知温度Ｔｆに対して判定する第一所定温度Ｔ１を設定されている。また図１７に示すように、制御部（図示無し）は、底温度センサ７０の検知温度Ｔｐに対して判定する複数の動作の項目ごとの所定温度を設定されている。その所定温度は、スタート温度判定である第二所定温度Ｔ２、出力ダウン判定をする温度Ｔ３、出力停止判定をする温度Ｔ４、空焼き停止判定をする温度Ｔ５で、Ｔ２＜Ｔ３＜Ｔ４＜Ｔ５の順に高い温度である。例えば、グリルパン６０の中に入れた被調理物が燃焼するなどにより、グリルパン６０を加熱手段以外に加熱するような状態となると、検知温度Ｔｐによって加熱手段の出力をダウン、出力を停止、空焼き停止の動作をとるものである。
【００８３】
図１６において、グリル調理開始動作の制御を説明する。
【００８４】
制御部（図示無し）は操作部５の切スタートキー５ｇ９を操作（Ｓ）すると、後温度センサ１０１の検知温度Ｔｆが第一所定温度Ｔ１未満かを判断する（Ｆ）。例えば、秋刀魚の丸焼きの場合、第一所定温度Ｔ１は略７０℃である。
【００８５】
後温度センサ１０１の検知温度Ｔｆが第一所定温度Ｔ１未満の場合は低温用の加熱パターン１に決定する（Ｋ１）。そして加熱パターン１で加熱する調理開始し（Ｃ）、調理を終了する（Ｅ）。
【００８６】
前記の（Ｆ）において、後温度センサ１０１の検知温度Ｔｆが第一所定温度Ｔ１以上の場合は、底温度センサ７０の検知温度Ｔｐが第二所定温度Ｔ２より未満かを判断する。（Ｐ）例えば、秋刀魚の丸焼きの場合、第二所定温度Ｔ２は略６０℃である。
【００８７】
底温度センサ７０の検知温度Ｔｐが第二所定温度Ｔ２より未満の場合は高温用の加熱パターン２に決定する。（Ｋ２）
そして加熱パターン２で加熱する調理開始し（Ｃ）、調理を終了する（Ｅ）。
【００８８】
前記の（Ｐ）において、底温度センサ７０の検知温度Ｔｐが第二所定温度Ｔ２以上の場合は切スタートキー５ｇ９を操作してからの待機時間Ｔｔが第三所定時間Ｗに到達したかを判断する（Ｍ）。例えば、秋刀魚の丸焼きの場合、第三所定時間Ｗは略５４０秒である。
【００８９】
切スタートキー５ｇ９を操作してからの待機時間Ｔｔが第三所定時間Ｗに到達しない場合は切スタートキー５ｇ９を操作してからの待機時間Ｔｔが第三所定時間Ｗに到達するまで待機する。
【００９０】
切スタートキー５ｇ９を操作してからの待機時間が第三所定時間Ｗに到達した場合は高温用の加熱パターン２に決定する。（Ｋ２）
そして加熱パターン２で加熱する調理開始し（Ｃ）、調理を終了する（Ｅ）。
【００９１】
本実施例は、以上の構成からなり、次に動作について自動調理で被加熱物として秋刀魚を焼く場合を例にとって説明する。
【００９２】
秋刀魚４匹をグリルパン６０に並べ、操作部５のメニューキー５ｇ１で丸焼き表示５ｇ３を選択して切スタートキー５ｇ９で調理開始操作をする。後温度センサ１０１の検知温度Ｔｆが第一所定温度Ｔ１未満かを判断し、後温度センサ１０１の検知温度Ｔｆが第一所定温度Ｔ１未満の場合は低温用の加熱パターン１に決定する（Ｋ１）。調理庫Ｑは上ヒータ１６、下ヒータ１５が制御部（図示無し）に予め組込まれた複数の加熱工程動作により加熱を開始する。自動調理の丸焼きは、工程中に被加熱物の量を判定する制御がなされて調理時間の調整を行うものである。開始数分後に底温度センサ７０で検知する温度を制御部に取り込み、その後所定時間後再び温度を測定して取り込み、所定時間中の温度上昇により被加熱物の量を判定するものである。
【００９３】
秋刀魚３匹の調理を標準として予め組込まれた温度上昇値よりも実測した温度上昇値が大きければ、量は少ないと判定し、実測した温度上昇値が小さければ量は多いと判定する。
【００９４】
量が少ないと判定された場合は予め組込まれた各工程の夫々の調理時間を、量の少ない度合いによって、等倍して短くして調理を完成する。逆にここで示した４匹の場合のように、多いと判定された場合は予め組込まれた各工程の夫々の調理時間を、量の多い度合いによって、等倍して長くして調理を完成する。
【００９５】
グリルパン６０の温度を検出するために調理庫Ｑのベース１１内の前後方向の奥側に設けた底温度センサ７０の検知する温度は、安定した熱容量となるグリルパン６０の温度を正確に測定できるので量の判定が正しく行える。やがて、加熱の全工程が終了すると調理を終了する。グリルパン６０から焼きあがった秋刀魚を取出す。
【００９６】
調理庫Ｑのベース１１の背板１１ｃに設けた後温度センサ１０１の検知する温度は、安定した熱容量となるグリルパン６０の後部の側板６０ｂと、ベース１１の背板１１ｃに挟まれて狭い空間で、調理庫Ｑの上方の温度を検出するため、温められ上昇する空気が流れて調理庫２６内の温度を正確に測定できる。
【００９７】
連続調理する場合にも、調理庫Ｑの温度が高く第一所定温度Ｔ１以上の場合にも、調理に使用したグリルパン６０を水洗いするなどにより、グリルパン６０の温度が冷えて第二所定温度Ｔ２未満であれば、調理の開始を操作後から、速やかに調理が開始できるので使い勝手がよいものである。
【００９８】
以上説明したように、本実施形態のグリルユニット４（加熱調理器）では、前面に開口１３ａを有する筺体（ベース１１、天板１２および枠体１３）と、筺体の開口１３ａを塞ぐドア２０と、ドア２０を前後方向にスライドさせる左右一対のスライドバー３０，３０と、スライドバー３０，３０をスライド自在に支持するガイドレール４０，４０と、を備え、スライドバー３０は、上下方向に離間して前後方向に延在する直線部３０ａ及び直線部３０ｂと、前後方向の後端において、直線部３０ａと直線部３０ｂとを繋ぐＵ字部３０ｃと、を備えている。これによれば、ボールベアリングを備えたスライド式のレールを用いる必要がないので、スライド機構を安価に構成することができる。しかも、本実施形態では、スライドバー３０が、２本の直線部３０ａ，３０ｂとＵ字部３０ｃの簡単な構造で構成されているので、スライドバー３０の全体を手前に大きく引き出すことができるので、例えば、グリルパン６０をほぼ真上に持ち上げることができる程度までスライドバー３０を引き出すことが可能になる。
【００９９】
また、本実施形態では、スライドバー３０が、直線部３０ａ，３０ｂとＵ字部３０ｃとで構成されているので、ドア２０を引き出したときに、直線部３０ａには軸方向の力（引っ張り応力Ｓｂ）が作用し、直線部３０ｂには軸方向に直交する方向の力（曲げ応力Ｓａ）が作用する（図７（ｂ）参照）。このような形状（棒状）のスライドバー３０では、スライドバー３０を曲げる方向よりも伸びる方向の力に強い。よって、直線部３０ｂに曲げる力が作用し、直線部３０ａに伸ばす力が作用することで、曲げる力のみが作用する構造よりも、スライドバー３０が独立した２本で構成されるよりも強度を増すことができる。
【０１００】
また、本実施形態では、ガイドレール４０を筺体に固定するねじ４５を備え、ねじ４５が、直線部３０ａと直線部３０ｂとの間において、前後方向の前部に位置している。なお、前部とは、スライドバー３０を最大まで引き出すことができる位置である。これによれば、ガイドレール４０を筺体に固定する機能と、スライドバー３０のストッパとしての機能を兼用することができ、グリルユニット４を安価に構成することができる。
【０１０１】
また、本実施形態では、一対のスライドバー３０，３０が、それぞれ前端において直線部３０ａ及び直線部３０ｂに対して幅方向内側に直交して形成される固定部３０ｄ，３０ｄを備えている。これによれば、一対のスライドバー３０を左右に配置したときに、左側のスライドバー３０と右側のスライドバー３０との間における平行度を高める、換言すると左右のスライドバー３０の間隔を前部から後部にかけて均一にすることができる。その結果、スライドバー３０がガイドレール４０内で摺動する際の摩擦を低減することができ、摩擦による騒音を防止することが可能になる。
【０１０２】
また、本実施形態では、ガイドレール４０は、ドア２０が引き出されたときに直線部３０ａの後端上部３０ｓが当接する当接部材４１を備える。これによれば、ドア２０が引き出されたときに、スライドバー３０の直線部３０ａが当接部材４１に当接することで、スライドバー３０の傾きを抑制することができ、グリルユニット４の使い勝手を向上できる。
【０１０３】
また、本実施形態では、スライドバー３０とともに出し入れされるグリルパン６０を備え、筺体は、ドア２０が閉じられたときに、グリルパン６０の底面６０ｓと接触する底温度センサ７０を備える。これによれば、グリルパン６０に底温度センサ７０を直接に接触させることができるので、グリルパン６０の温度を精度よく検出することが可能になり、空焼きの防止や高温異常時の迅速な温度制御が可能になる。  
なお、本発明は前記した実施形態に限定されるものではなく、本発明の趣旨を逸脱しない範囲において種々変更することができる。前記した実施形態では、繋ぎ部としてＵ字部３０ｃを備えたスライドバー３０を例に挙げて説明したが、コ字状に形成されたものなど他の形状であってもよい。また、本実施形態では、スライドバー３０が、１本の線材を曲げ形成することで構成されている。２本や３本以上の線材を繋ぎ合わせる構成であってもよい。
【符号の説明】
【０１０４】
２      本体
４      グリルユニット（加熱調理器）
５      操作部
５ｇ9   切スタートキー
１０    加熱ベース
１１    ベース
１１ａ  底板
１１ｃ  背板
１２    天板
１３    枠体
１３ａ  開口
１３ｃ  挿入口
１５    下ヒータ
１６    上ヒータ
２０    ドア
２１    ドアベース
２１ａ  開口部
２２    ハンドル
２３    ガラス板
３０    スライドバー（スライド部材）
３０ａ  直線部（上側直線部）
３０ｂ  直線部（下側直線部）
３０ｃ  Ｕ字部（繋ぎ部）
３０ｄ  固定部
３０ｓ  後端上部
４０    ガイドレール（ガイド部材）
４１    当接部材
４５    ねじ（固定部材）
５０    グリルパンステイ
６０    グリルパン
６０ｓ  底面
７０    底温度センサ
７１    センサカバー
７２    センサ部
７３    センサプレート
７４    センサ保持部材
８０    掴み部材
１０１  後温度センサ
Ｑ      調理庫
Ｔｆ   検知温度
Ｔｐ   検知温度
Ｔｔ   待機時間
Ｔ１   第一所定温度
Ｔ２   第二所定温度
Ｗ     第三所定時間
【図１】
0006302856.tif 000002
【図２】
0006302856.tif 000003
【図３】
0006302856.tif 000004
【図４】
0006302856.tif 000005
【図５】
0006302856.tif 000006
【図６】
0006302856.tif 000007
【図７】
0006302856.tif 000008
【図８】
0006302856.tif 000009
【図９】
0006302856.tif 000010
【図１０】
0006302856.tif 000011
【図１１】
0006302856.tif 000012
【図１２】
0006302856.tif 000013
【図１３】
0006302856.tif 000014
【図１４】
0006302856.tif 000015
【図１５】
0006302856.tif 000016
【図１６】
0006302856.tif 000017
【図１７】
0006302856.tif 000018